(57)【要約】【課題】  複数種類の厚さのパネルに対応するためのパネル固定材を有し、パネル固定材が取り付け容易で且つ確実に框に固定できるサッシを提供する。【解決手段】  框１ａ，１ｂ，１ｃを四周框組みした内部にパネル２を嵌め込んだもので、各框はパネルを嵌め込む溝部１０が形成してあり、少なくとも一つの框の溝部は室内外方向の一方側側壁１１の他方側面に固定したパネル固定材２０を有し、一方側側壁は他方側面に形成した係止部１３を有し、パネル固定材は、係止部に係止する被係止部２１と、一方側側壁の他方側面の係止部よりも溝開口側に当接する当接片２２を有し、係止部よりも溝底側にパネル固定材と一方側側壁とで固定具挿入空間３０が形成してあり、係止部に被係止部を溝開口側から係止し、固定具挿入空間に固定具３１を挿入し、当接片を一方側側壁に当接させパネル固定材を框に固定してあり、パネル固定材と他方側側壁１２とでパネルを挟持する。【選択図】      図１
2010126910.tif 000002
【特許請求の範囲】
【請求項１】
四周枠組みした枠体と、枠体内に設けた障子とを備え、障子は、框を四周框組みした内部にパネルを嵌め込んだものであり、各框はパネルを嵌め込む溝部が長手方向に沿って形成してあり、少なくとも一つの框の溝部は室内外方向の一方側側壁の他方側面に固定したパネル固定材を有し、一方側側壁は他方側面に形成した係止部を有し、パネル固定材は、係止部に係止する被係止部と、一方側側壁の他方側面の係止部よりも溝開口側に当接する当接片を有し、係止部よりも溝底側にパネル固定材と一方側側壁とで固定具挿入空間が形成してあり、係止部に被係止部を溝開口側から係止し、固定具挿入空間に固定具を挿入してパネル固定材を係止部を支点として回転させ、当接片を一方側側壁に当接してパネル固定材を框に固定してあり、パネル固定材と他方側側壁とでパネルを挟持することを特徴とするサッシ。
【請求項２】
一方側側壁の他方側面の係止部よりも溝開口側に係合部が形成してあり、パネル固定材が、係合部に係合する被係合部を有することを特徴とする請求項１記載のサッシ。
【発明の詳細な説明】
【技術分野】
【０００１】
本発明は、単一種類の框で複数種類の厚さのパネルに対応するサッシに関する。
【背景技術】
【０００２】
四周框組みした框にガラスパネルを嵌め込んだサッシにおいて、ガラスパネルには単層ガラスや複層ガラスなど種々の厚さのものが用いられる。パネルは框に形成した溝に嵌め込むものであるが、種々の厚さのパネルに対応させるために溝幅のみが異なる複数種類の框を用意すると、費用が高くなってしまう。そこで、框の部材兼用のため、溝に溝幅を調整するパネル固定材を取り付け、単一種類の框で複数種類の厚さのパネルに対応する場合がある。この際、図６（ａ）に示すように、パネル２００の厚さに対応したパネル固定材２０１を框２０２にネジ２０３で固定するか、図６（ｂ）に示すように、パネル２００の厚さに対応したパネル固定材２０１を框２０２の長手方向端部から挿入して通し込み固定するのが一般的である。
【発明の開示】
【発明が解決しようとする課題】
【０００３】
しかしながら、ビスによる固定は、框にビス孔を形成する作業及びビスによりパネル固定材を取り付ける作業が発生し、作業効率が悪かった。また、通し込み固定は、框が長い場合には挿入すること自体が困難であり、また単に挿入するだけで固定力を発生するものではないので運搬時等にズレが生じる場合があった。
【０００４】
本発明は、上記事情を鑑みたものであり、単一種類の框で複数種類の厚さのパネルに対応するためのパネル固定材を有し、パネル固定材が取り付け容易であり且つ確実に框に固定できるサッシを提供することを目的とする。
【課題を解決するための手段】
【０００５】
本発明のうち請求項１の発明は、四周枠組みした枠体と、枠体内に設けた障子とを備え、障子は、框を四周框組みした内部にパネルを嵌め込んだものであり、各框はパネルを嵌め込む溝部が長手方向に沿って形成してあり、少なくとも一つの框の溝部は室内外方向の一方側側壁の他方側面に固定したパネル固定材を有し、一方側側壁は他方側面に形成した係止部を有し、パネル固定材は、係止部に係止する被係止部と、一方側側壁の他方側面の係止部よりも溝開口側に当接する当接片を有し、係止部よりも溝底側にパネル固定材と一方側側壁とで固定具挿入空間が形成してあり、係止部に被係止部を溝開口側から係止し、固定具挿入空間に固定具を挿入してパネル固定材を係止部を支点として回転させ、当接片を一方側側壁に当接してパネル固定材を框に固定してあり、パネル固定材と他方側側壁とでパネルを挟持することを特徴とする。
【０００６】
本発明のうち請求項２の発明は、一方側側壁の他方側面の係止部よりも溝開口側に係合部が形成してあり、パネル固定材が、係合部に係合する被係合部を有することを特徴とする。
【発明の効果】
【０００７】
本発明のうち請求項１の発明によれば、框の係止部にパネル固定材の被係止部を係止し、固定具挿入空間に固定具を挿入するだけでパネル固定材を框に固定することができるので、ビス孔加工のような追加加工が不要であり、取り付け作業が容易で作業効率が良い。また、固定具が押圧力を生じるので、パネル固定材が框に対して確実に固定され、運搬時等においてもズレが生じることがない。
【０００８】
本発明のうち請求項２の発明によれば、框の係合部にパネル固定材の被係合部を係合することで、パネル固定材が框の溝開口側方向に移動することを防ぎ、より確実に固定することができる。
【発明を実施するための最良の形態】
【０００９】
以下、本発明の実施の形態を図面に基づいて説明する。なお、本発明のサッシとは、窓やドア等、室内と室外或いは室内の部屋同士を仕切るものを示し、開閉自在なもの及び嵌め殺しのものの何れも含むものとする。以下の実施形態は、室内と室外を仕切るすべり出し窓の場合を示し、前述の一方側は室内側、他方側は室外側に相当する。
このサッシは、図１〜図３に示すように、四周枠組みして躯体開口部に設けた枠体１００と、枠体１００内に設けた障子１０１とを備えるもので、障子１０１はアーム１０２によって枠体１００に開閉自在に取り付けてある。障子１０１は、框（上框１ａ、下框１ｂ及び縦框１ｃ）を四周框組みした内部に単層のガラスからなるパネル２を嵌め込んだものである。
障子１０１の各框１ａ，１ｂ，１ｃには、パネルを嵌め込むための溝部１０が長手方向に沿って形成してある。各框のうち、下框１ｂにおいては、溝部１０は室内側側壁（一方側側壁）１１と室外側側壁（他方側側壁）１２を備えており、室内側側壁１１の室外側面に、Ｌ字形で先端が溝開口側向きの係止部１３を設けてあり、さらに係止部１３より溝開口側に溝状の係合部１４が形成してある。一方、上框１ａ及び左右の縦框１ｃは、下框１ｂの室外側側壁１２に対応する位置に壁部４２を備えており、室内側には断面略コ字形の押縁４１が取り付けてあり、壁部４２と押縁４１とで溝部１０を形成している。
下框１ｂの溝部１０の室内側側壁１１の室外側面にはパネル固定材２０が固定されている。パネル固定材２０は、溝開口−溝底方向（図１中の上下方向）に延びる基盤部２４を有し、基盤部２４の室内側面に、Ｌ字形で先端が溝底側向きの被係止部２１を設けてある。基盤部２４の溝開口側端からは、室内側へ向けて当接片２２が延び、室外側へ向けて支持片２５が延びている。また、基盤部２４の溝底側端からは補助片２６が室内側へ向けて延びている。さらに、被係止部２１と当接片２２の間からは、被係合部２３が室内側へ向けて延びている。被係止部２１と被係合部２３の位置は、それぞれ室内側側壁１１の係止部１３と係合部１４に対応している。パネル固定材２０の固定に際しては、図４に示すように、下框１ｂの係止部１３にパネル固定材２０の被係止部２１を溝開口側から係止し（図４（ａ））、室内側側壁１１と、係止部１３と、基盤部２４と、補助片２６とで囲まれた空間を固定具挿入空間３０として、框端部側（図１或いは図４（ａ）中の紙面手前側）からくさび型の固定具３１を挿入すると（図４（ｂ））、パネル固定材２０が係止部１３を支点として回転し、当接片２２が室内側側壁１１に当接し、さらに被係合部２３が係合部１４に係合して、パネル固定材２０が下框１ｂに固定される。
一般にくさびとは、棒状で太さが漸増する形状のものであるが、本発明の固定具３１は断面略正方形で、先細の先鋭部３２と、太さが一定の軸部３３と、先鋭部３２の反対側端で太さが漸増する基端部３４と、からなる。先鋭部３２によって固定具挿入空間３０に挿入容易であり、軸部３３が固定具挿入空間３０の内周面に当接し、基端部３４を押し込むことで押圧力が生じてパネル固定材２０を確実に固定するものである。
このように固定されたパネル固定材２０において、支持片２５の先端は溝底側に屈曲しており、室外側面に室内側支持材２７が取り付けてある。そして、室外側側壁１２の室内側面に、室内側支持材２７に対向して室外側支持材２８が取り付けてあり、両支持材２７，２８でパネル２を挟持する。一方、上框１ａ及び左右の縦框１ｃにおいては、押縁４１の室外側に取り付けた室内側支持材４７と、壁部４２の室内側に取り付けた室外側支持材４８とでパネル２を挟持する。
なお、枠体１００、各框１ａ，１ｂ，１ｃ、パネル固定材２０及び押縁４１はいずれもアルミニウムの押出型材であり、両支持材２７，２８は弾性的な樹脂からなる。
【００１０】
このように、本発明のサッシにおいては、下框１ｂの係止部１３にパネル固定材２０の被係止部２１を係止し、固定具挿入空間３０に固定具３１を挿入するだけでパネル固定材２０を下框１ｂに固定できるので、取り付け作業が容易で作業効率が良い。また、固定具３１が押圧力を生じるので、パネル固定材２０が下框１ｂに対して確実に固定され、運搬時等においてもズレが生じない。さらに、下框１ｂの係合部１４にパネル固定材２０の被係合部２３を係合することで、パネル固定材２０が下框１ｂの溝開口側方向に移動することを防ぎ、より確実に固定できる。
【００１１】
次に、上記実施形態とは異なる厚さのパネルを備える場合について、図５に基づき説明する。ここでは、複層のガラスからなるパネル２を備えており、厚さに対応するパネル固定材２０を用いることで、同一形状の框により厚いパネル２を嵌め込んである。具体的には、ここで用いるパネル固定材２０は、被係止部２１、当接片２２、被係合部２３、基盤部２４及び補助片２６を有する点は先の場合と同様であるが、支持片は備えておらず、基盤部２４の室外側に直接室内側支持材２７を取り付けてある。このようにすることで、室内側支持材２７と、室外側側壁１２に取り付けた室外側支持材２８との間隔が広くなるので、より厚い複層のガラスからなるパネル２を挟持できる。なお、上框１ａ及び縦框１ｃに取り付ける押縁４１についても、パネル固定材２０に対応して幅狭のものを用いている。
【００１２】
本発明は、上記の実施形態に限定されない。窓種はすべり出し窓に限られず、開き窓や引違い窓等でも良いし、或いはドア等にも用いられ、四周に組んだ框にパネルを嵌め込む場合の構成として種々の場合に適用され得る。また、パネル固定材の形状は要件を満たす範囲で自由に設定できるものであり、例えば溝開口−溝底方向の動きを抑える係合部及び被係合部は、側壁の係合部を延出片とし、パネル固定材の被係合部を溝状に形成しても良い。さらに、パネル固定材は上框、下框、縦框の何れに取り付けても良いし、複数の框に取り付けても良い。また、各部を構成する素材は自由であり、枠体、框やパネル固定材はアルミニウム以外の金属や樹脂からなるものであっても良い。
【図面の簡単な説明】
【００１３】
【図１】図３のＡ−Ａ線断面図である。
【図２】図３のＢ−Ｂ線断面図である。
【図３】本発明のサッシの室外側正面図である。
【図４】パネル固定材の取り付け方法の説明図であり、（ａ）は框端部方向から見た図、（ｂ）は室内側から見た図である。
【図５】厚いパネルを備える場合の縦断面図である。
【図６】従来のパネル固定材の固定方法を示す説明図である。
【符号の説明】
【００１４】
１ａ  上框
１ｂ  下框
１ｃ  縦框
２  パネル
１０  溝部
１１  室内側側壁（一方側側壁）
１２  室外側側壁（他方側側壁）
１３  係止部
１４  係合部
２０  パネル固定材
２１  被係止部
２２  当接片
２３  被係合部
３０  固定具挿入空間
３１  固定具
１００  枠体
１０１  障子
【図１】
2010126910.tif 000003
【図２】
2010126910.tif 000004
【図３】
2010126910.tif 000005
【図４】
2010126910.tif 000006
【図５】
2010126910.tif 000007
【図６】
2010126910.tif 000008